【事件の表示】
　特許第２８４８５８５号「筆記具用インキ追従体およびそれを含むボールペン」の請求項１ないし３に係る特許に対する特許異議の申立てについて、次のとおり決定する。
【結　論】
　訂正を認める。
　特許第２８４８５８５号の請求項１ないし２に係る特許を維持する。
【理　由】
（１）手続の経緯
　特許第２８４８５８５号に係る発明についての出願は、平成７年６月３０日に出願され、平成１０年１１月６日にその発明について特許の設定登録がなされ、その後、その特許について、異議申立人株式会社サクラクレパスにより特許異議の申立てがなされ、取消理由通知がなされ、その指定期間内である平成１２年１月１７日に訂正請求がなされたものである。
（２）訂正の適否ついての判断
ア．訂正の内容
　特許権者が求めている訂正の内容は、以下のとおりである。
（ａ）特許請求の範囲の請求項１を削除し、請求項２、３の
「【請求項２】基油に分散された難揮発性液体が、インキ追従体組成物中に、粒径５０μｍ以下に分散されている請求項１の筆記具用インキ追従体。
【請求項３】直接インキ管に筆記用インキを詰め、ボールペンチップを装着したボールペンにおいて、ボールペンチップを装着した側とは反対側に請求項１または２に記載の筆記具用インキ追従体を配設したボールペン。」を
「【請求項１】少なくとも第１の難揮発性液体からなる基油と、該基油に粒径５０μｍ以下に分散された第２の難揮発性液体と、６０℃以下で融解しない増稠剤を含む筆記具用インキ追従体。
【請求項２】直接インキ管に筆記用インキを詰め、ボールペンチップを装着したボールペンにおいて、ボールペンチップを装着した側とは反対側に請求項１に記載の筆記具用インキ追従体を配設したボールペン。」と訂正する。
（ｂ）明細書段落【０００９】の
「すなわち、本発明は、「１．少なくとも第１の難揮発性液体からなる基油と、該基油に分散された第２の難揮発性液体と、６０℃以下で融解しない増稠剤を含む筆記具用インキ追従体。
２．基油に分散された難揮発性液体が、インキ追従体組成物中に粒径５０μｍ以下に分散されている第１項の筆記具用インキ追従体。
３．直接インキ管に筆記用インキを詰め、ボールペンチップを装着したボールペンにおいて、ボールペンチップを装着した側とは反対側に第１項または第２項に記載の筆記具用インキ追従体を配設したボールペン。」である。」を
「すなわち、本発明は、「１．少なくとも第１の難揮発性液体からなる基油と、該基油に粒径５０μｍ以下に分散された第２の難揮発性液体と、６０℃以下で融解しない増稠剤を含む筆記具用インキ追従体。
２．直接インキ管に筆記用インキを詰め、ボールペンチップを装着したボールペンにおいて、ボールペンチップを装着した側とは反対側に第１項に記載の筆記具用インキ追従体を配設したボールペン。」である。」と訂正する。
（ｃ）明細書段落【００３９】の
「【発明の効果】本発明の筆記具用インキ追従体は、すくなくとも第１の難揮発性液体からなる基油と、該基油に分散された第２の難揮発性液体と、６０℃以下で融解しない増稠剤を含む構成にし、インキ追従体とインキ収容管との間に積極的に滑り面となる油層を設けることにより、優れたインキ追従性、インキ収容管内面への付着防止性を有し、高温時においても逆流せず安定に、経時安定性に優れ、さらに逆流防止性を向上させるためにインキ追従体のゲル強度を高くしたり、追従性を向上させるために流動性を低下させたインキ追従体においても、良好なインキ追従体が得られる。また、本発明のインキ追従体を用いたボールペンは、良好な筆記性能を得ることができる。」を
「【発明の効果】本発明の筆記具用インキ追従体は、すくなくとも第１の難揮発性液体からなる基油と、該基油に粒径５０μｍ以下に分散された第２の難揮発性液体と、６０℃以下で融解しない増稠剤を含む構成にし、インキ追従体とインキ収容管との間に積極的に滑り面となる油層を設けることにより、優れたインキ追従性、インキ収容管内面への付着防止性を有し、高温時においても逆流せず安定に、経時安定性に優れ、さらに逆流防止性を向上させるためにインキ追従体のゲル強度を高くしたり、追従性を向上させるために流動性を低下させたインキ追従体においても、良好なインキ追従体が得られる。また、本発明のインキ追従体を用いたボールペンは、良好な筆記性能をえることができる。」と訂正する。
（ｄ）明細書段落【００２８】の「実施例１０」を「比較例１」と、明細書段落【００２７】の「実施例２〜１０」を「実施例２〜９」と、明細書段落【００２９】の「比較例１〜５」を「比較例２〜６」と、明細書段落【００２９】の「比較例３、４」を「比較例４、５」と、「比較例５」を「比較例６」と、明細書段落【００３６】の「実施例１〜１０」を「実施例１〜９」と、明細書段落【００３７】の「比較例は１、２より」を「比較例は２、３より」と、「比較例３、４」を「比較例４、５」と、「比較例５」を「比較例６」と訂正する。
（ｅ）明細書段落【００３０】の表１及び段落【００３２】の表２の「実施例１０」を「比較例１」と、「比較例１〜５」を「比較例２〜６」と訂正する。
イ．訂正の目的の適否、新規事項の有無、及び拡張・変更の存否
　上記訂正事項（ａ）は、請求項１を削除し、請求項２、３を請求項１、２に繰り上げるとともに、繰り上げられた請求項１を引用形式の記載から、独立形式の記載に変更し、繰り上げられた請求項２の他の請求項の引用を請求項１としたものであるから、特許請求の範囲の減縮を目的とするものである。
　上記訂正事項（ｂ）〜（ｅ）は、上記特許請求の範囲の減縮に伴い、これと整合性を図るものであるから、明りょうでない記載の釈明を目的とするものである。
  そして、上記訂正は願書に添付した明細書または図面に記載された事項の範囲を越えるものとは認められないから、新規事項の追加に該当せず、また特許請求の範囲を実質的に拡張または変更するものではない。
ウ．独立特許要件
（訂正明細書の請求項１ないし２に係る発明）
訂正明細書の請求項１ないし２に係る発明は、その特許請求の範囲の請求項１ないし２に記載された次の事項により特定されるとおりのものである。
「【請求項１】少なくとも第１の難揮発性液体からなる基油と、該基油に粒径５０μｍ以下に分散された第２の難揮発性液体と、６０℃以下で融解しない増稠剤を含む筆記具用インキ追従体。
【請求項２】直接インキ管に筆記用インキを詰め、ボールペンチップを装着したボールペンにおいて、ボールペンチップを装着した側とは反対側に請求項１に記載の筆記具用インキ追従体を配設したボールペン。」
（引用刊行物に記載の発明）
　訂正明細書の請求項１ないし２に係る発明に対し、当審が通知した取消理由で引用した刊行物１（特公昭６４−１０５５４号公報）には、「ジベンジリデンソルビトール及びトリベンジリデンソルビトールから選ばれる少なくとも一種０．１〜１０．０重量％と、エチレングリコール、ポリエチレングリコール、ポリプロピレングリコール、へキシレングリコール、ヒマシ油、オリーブ油及び流動パラフィンから選ばれる少なくとも一種の難揮発性有機液状化合物９９．９〜９０．０重量％とを含有する〜筆記具のインク逆流防止剤組成物」（特許請求の範囲）が記載され、「ジベンジリデンソルビトール、トリベンジリデンソルビトールから選ばれる少なくとも一種」、「エチレングリコール、ポリエチレングリコール、、ポリプロピレングリコール、へキシレングリコール、ヒマシ油、オリーブ油及び流動パラフィンから選ばれる少なくとも一種」の記載から、刊行物１に記載の発明は「エチレングリコール、オリーブ油およびトリベンジリデンソルビトールを含有する筆記具のインキ逆流防止剤組成物」の態様が含まれるものと認める。
　刊行物２（「溶剤ハンドブック」　株式会社講談社　１９８２年８月１０日　第４版　発行　第３９８〜３９９頁）には、オリーブ油が１、２エタンジオール（エチレングリコール）に対し不溶であることが「表２　各種物質の１、２−エタンジオールに対する溶解性・・・」（第３９９頁）に記載されている。
　刊行物３（「新日本理化、技術資料」　第１〜４頁）には、トリベンジリデンソルビトールの具体的商品であるゲルオールＴが、エチレングリコールに６０℃以下で溶解しない旨（４頁左下図　アルコール、エーテルに対する溶解度）が記載されている。　
（対比・判断）
　刊行物２の記載からは、エチレングリコールとオリーブ油は非相溶の関係にあり、トリベンジリデンソルビトールはゲル化剤であって、増稠剤の一種であり、刊行物３の記載からは、トリベンジリデンソルビトールはエチレングリコールに対して６０℃以下で溶解しないことが理解できる。
　前記事項を考慮して訂正明細書の請求項１に係る発明と、刊行物１に記載の発明（エチレングリコール、オリーブ油およびトリベンジリデンソルビトールを含有する筆記具のインキ逆流防止剤組成物）を対比すると、刊行物１に記載の発明は、インキ管に詰められたインキに追随する組成物であって、「少なくとも第１の難揮発性液体からなる基油と、第２の難揮発性液体と、６０℃以下で融解しない増稠剤を含む筆記具用インキ追従体」が記載されているが、訂正明細書の請求項１に係る発明を特定する事項である「第１の難揮発性液体からなる基油に、第２の難揮発性液体を、粒径５０μｍ以下で分散させる」ことについての記載は認められないから、訂正明細書の請求項１に係る発明は、刊行物１に記載された発明ではない。
　また、訂正明細書の請求項１に係る発明は、上記「第１の難揮発性液体からなる基油に、第２の難揮発性液体を、粒径５０μｍ以下で分散させる」事項を備えることにより、明細書に記載の「【００１０】基油に非相溶な第２の難揮発性液体がインキ追従体中で、エマルジョンを形成し、分散し、安定なインキ追従体となり、筆記時にインキの消費に伴い、インキ収容管との界面においてエマルジョンの一部が破壊され油層を形成し、インキ収容管とインキ追従体との界面に滑り面を形成する。
【００１１】また、第１の難揮発性液体すなわち基油および増稠剤によってやや強い弾性を得、インキ追従体のゲル強度を高くし、流動性を減少させ、逆流防止性を向上したインキ追従体においても、該基油に分散させた第２の難揮発性液体がインキ収容管との界面において積極的な油層を形成しているため、筆記に伴うインキ追従体の移動の際にも、インキ追従体のインキ収容管への付着残りが少なく、良好なインキ追従性、さらには経時安定性が良好なインキ追従体がえられる」という作用効果を奏するものであって、甲第１号証の「筆記具の非使用時には、所定の形状を有するゲル状であり、使用時にのみ、インク筒内壁面と接触するその周囲部がゾル化するので、依然としてその形状を実質的に保持しつつ、インクの消費によく追随し、かくして、欠損を生じることなく、インクの逆流を効果的に防止する」（公報６欄１２〜１７行）ものとは、インキ収容管との界面に形成される油層の形成機構が相違し、この相違に伴って効果も相違するから、訂正明細書の請求項１に係る発明が、刊行物１ないし３に記載の発明にも基づいて当業者が容易に発明をすることができたのもとすることはできない。
　訂正明細書の請求項２に係る発明は、訂正明細書の請求項１に係る発明の筆記具用インキ追従体を用いたボールペンの発明であるから、上記請求項１に係る発明についての判断と同様の理由により、刊行物１に記載の発明と同一でなく、刊行物１ないし３に記載の発明に基づいて当業者が容易に発明をすことができたものでもない。
　したがって、訂正明細書の請求項１ないし２に係る発明は、特許出願の際独立して特許を受けることができるものである。
エ．むすび
　以上のとおりであるから、上記訂正は、特許法第１２０条の４第２項及び同条第３項で準用する第１２６条第２〜４項の規定に適合するので、当該訂正を認める。
（３）特許異議の申立てについて
ア．本件発明
　本件請求項１ないし２に係る発明は、平成１２年１月１７日付けで提出された訂正請求書に添付された明細書の特許請求の範囲の請求項１ないし２に記載された事項により特定されるとおりのものである。
イ．申立ての理由の概要
　申立人は、証拠として甲第１号証（特公昭６４−１０５５４号公報）、甲第２号証（「溶剤ハンドブック」　株式会社講談社　１９８２年８月１０日　第４版　発行　第３９８〜３９９頁）、甲第３号証（「新日本理化、技術資料」　第１〜４頁 ）を提出し、特許明細書の請求項１ないし３に係る発明の特許は、特許法第２９条第２項の規定に違反してなされたものであるから取り消されべきものである旨主張している。
ウ．判断
　甲第１ないし３号証は、取消理由通知で引用した刊行物１ないし３であるから、本件請求項１ないし２に係る発明は、上記（２）ウので示したように、甲第１ないし３号証に記載の発明から容易に発明をすることができたものとすることはできない。
エ．むすび
　以上のとおりであるから、特許異議の申立ての理由及び証拠によっては、本件請求項１ないし２に係る発明の特許を取り消すことはできない。
　また、他に本件請求項１ないし２に係る発明の特許を取り消すべき理由を発見しない。
　よって、結論のとおり決定する。
【異議決定日】
平成１２年２月２８日（２０００．２．２８）
【訂正の要旨】
　特許第２８４８５８５号発明の明細書を本件訂正請求書に添付した訂正明細書の通りに訂正する。即ち、特許請求の範囲の減縮を目的として下記（ａ）のとおりに訂正し、また、明りょうでない記載の釈明を目的として下記（ｂ）〜（ｅ）のとおり訂正する。
　（ａ）特許請求の範囲の請求項１を削除し、請求項２、３の
「【請求項２】基油に分散された難揮発性液体が、インキ追従体組成物中に、粒径５０μｍ以下に分散されている請求項１の筆記具用インキ追従体。
　【請求項３】直接インキ管に筆記用インキを詰め、ボールペンチップを装着したボールペンにおいて、ボールペンチップを装着した側とは反対側に請求項１または２に記載の筆記具用インキ追従体を配設したボールペン。」を
「【請求項１】少なくとも第１の難揮発性液体からなる基油と、該基油に粒径５０μｍ以下に分散された第２の難揮発性液体と、６０℃以下で融解しない増稠剤を含む筆記具用インキ追従体。
　【請求項２】直接インキ管に筆記用インキを詰め、ボールペンチップを装着したボールペンにおいて、ボールペンチップを装着した側とは反対側に請求項１に記載の筆記具用インキ追従体を配設したボールペン。」と訂正する。
　（ｂ）明細書段落【０００９】の
「すなわち、本発明は、　「１．少なくとも第１の難揮発性液体からなる基油と、該基油に分散された第２の難揮発性液体と、６０℃以下で融解しない増稠剤を含む筆記具用インキ追従体。
２．基油に分散された難揮発性液体が、インキ追従体組成物中に粒径５０μｍ以下に分散されている第１項の筆記具用インキ追従体。
３．直接インキ管に筆記用インキを詰め、ボールペンチップを装着したボールペンにおいて、ボールペンチップを装着した側とは反対側に第１項または第２項に記載の筆記具用インキ追従体を配設したボールペン。」である。」を
「すなわち、本発明は、「１．少なくとも第１の難揮発性液体からなる基油と、該基油に粒径５０μｍ以下に分散された第２の難揮発性液体と、６０℃以下で融解しない増稠剤を含む筆記具用インキ追従体。
２．直接インキ管に筆記用インキを詰め、ボールペンチップを装着したボールペンにおいて、ボールペンチップを装着した側とは反対側に第１項に記載の筆記具用インキ追従体を配設したボールペン。」である。」と訂正する。
　（ｃ）明細書段落【００３９】の
「【発明の効果】本発明の筆記具用インキ追従体は、すくなくとも第１の難揮発性液体からなる基油と、該基油に分散された第２の難揮発性液体と、６０℃以下で融解しない増稠剤を含む構成にし、インキ追従体とインキ収容管との間に積極的に滑り面となる油層を設けることにより、優れたインキ追従性、インキ収容管内面への付着防止性を有し、高温時においても逆流せず安定に、経時安定性に優れ、さらに逆流防止性を向上させるためにインキ追従体のゲル強度を高くしたり、追従性を向上させるために流動性を低下させたインキ追従体においても、良好なインキ追従体が得られる。また、本発明のインキ追従体を用いたボールペンは、良好な筆記性能を得ることができる。」を
「【発明の効果】本発明の筆記具用インキ追従体は、すくなくとも第１の難揮発性液体からなる基油と、該基油に粒径５０μｍ以下に分散された第２の難揮発性液体と、６０℃以下で融解しない増稠剤を含む構成にし、インキ追従体とインキ収容管との間に積極的に滑り面となる油層を設けることにより、優れたインキ追従性、インキ収容管内面への付着防止性を有し、高温時においても逆流せず安定に、経時安定性に優れ、さらに逆流防止性を向上させるためにインキ追従体のゲル強度を高くしたり、追従性を向上させるために流動性を低下させたインキ追従体においても、良好なインキ追従体が得られる。また、本発明のインキ追従体を用いたボールペンは、良好な筆記性能をえることができる。」と訂正する。
　（ｄ）明細書段落【００２８】の「実施例１０」を「比較例１」と、明細書段落【００２７】の「実施例２〜１０」を「実施例２〜９」と、明細書段落【００２９】の「比較例１〜５」を「比較例２〜６」と、明細書段落【００２９】の「比較例３、４」を「比較例４、５」と、「比較例５」を「比較例６」と、明細書段落【００３６】の「実施例１〜１０」を「実施例１〜９」と、明細書段落【００３７】の「比較例は１、２より」を「比較例は２、３より」と、「比較例３、４」を「比較例４、５」と、「比較例５」を「比較例６」と訂正する。
　（ｅ）明細書段落【００３０】の表１及び段落【００３２】の表２の「実施例１０」を「比較例１」と、「比較例１〜５」を「比較例２〜６」と訂正する。
（５４）【発明の名称】
筆記具用インキ追従体およびそれを含むボールペン
（５７）【特許請求の範囲】
　【請求項１】少なくとも第１の難揮発性液体からなる基油と、該基油に
粒径５０μｍ以下に
　【請求項２】直接インキ管に筆記用インキを詰め、ボールペンチップを装着したボールペンにおいて、ボールペンチップを装着した側とは反対側に請求項１に記載の筆記具用インキ追従体を配設したボールペン。
【発明の詳細な説明】
　【０００１】
　【産業上の利用分野】
　本発明は筆記具用インキ追従体組成物およびそれを配設したボールペンに関する。さらに詳述すれば、インキ収容管内に直接インキを収容する筆記具の保存中および使用中において、インキ中の水または有機溶剤の揮発を防止し、かつインキの逆流を防止する為に、インキ尾端部に充填する筆記具用インキ追従体およびそれを配設したボールペンに関するものである。
　【０００２】
　【従来の技術】
　従来、直接インキを収容するインキ収容管を有する筆記具、例えばボールペンにおいて、インキの漏出・揮発・逆流を防止するために、インキ収容管内のインキ尾端部にインキ追従体が充填されている。そのインキ追従体として、例えば特公昭６４−１０５５４号公報には、ジベンジリデンソルビトールなどの有機ゲル化剤とエチレングリコールなどの難揮発性液状化合物からなる組成物が開示され、特開昭５７−２００４７２号公報にはアミノ酸誘導体などの増稠剤とをポリブテンなどの難揮発性有機液体に溶解してゲル状とした組成物が開示されている。
　【０００３】
　しかしながら、これらのインキ追従体をインキ消費量の多いインキを直詰めする水性ボールペン等に使用した場合、インキ収容管内にインキ追従体の付着の発生や、早書きをした場合にインキの消費におけるインキ追従体の追従不良による筆跡かすれが起こるという欠点があった。
　【０００４】
　また上記欠点を改良するため、インキ追従体の付着を防止する目的で付着防止剤の添加が多数試みられている。付着防止剤を添加する例としては、特公平６−３３０２４号公報にはポリオキシエチレンアルキルエーテルの添加、特開平５−２７０１９２号公報には、ポリエーテル変性シリコーンの添加等が開示されている。
　【０００５】
　しかしながら、これらの付着防止剤はインキ追従体に相溶しており、積極的にインキ収容管とインキ追従体の間に油層を発生させ、インキ追従体の滑り面を形成させていないため付着防止効果としては不十分である。また、インキ追従体自体の流動性を高めたインキ追従体は逆流防止性能が損なわれるといった欠点があった。
　【０００６】
　また、実公昭６０−２９４５号公報、実公昭６０−２９４６号公報にはワセリン、流動パラフィン、シリコーンオイルからなるインキ追従体が開示されている。しかしながら、このインキ追従体はシリコーンオイルによるインキ管の壁面に付着するインキの汚れ除去が目的であり、また増稠剤として融点の低いワセリンを使用しているため、例えば夏期の車内などの高温時においてインキ追従体が必要以上流動するためインキが逆流するという欠点があった。
　【０００７】
　【発明が解決しようとする課題】
　本発明の目的は、インキ消費に伴うインキ収容管内へのインキ追従体の付着や、インキ追従体の追従不良による筆跡不良、また高温時におけるインキ追従体の必要以上の流動によるインキ逆流という欠点を克服し、優れたインキ追従性を有する筆記具用インキ追従体およびそれを配設したボールペンを提供することである。
　【０００８】
　【課題を解決するための手段】
　本発明者等は、筆記具用インキ追従体について鋭意研究を重ねた結果、少なくとも第１の難揮発性液体からなる基油と、該基油に分散された第２の難揮発性液体と、６０℃以下で融解しない増稠剤を含む筆記具用インキ追従体を用い、インキ追従体とインキ収容管との間に積極的に滑り面となる油層を設ける事により、優れたインキ追従性を有し、インキ収容管内面へのインキ追従体の付着および高温時におけるインキ逆流を防止し得る事を見いだし、この知見に基づいて本発明をなすに至った。
　【０００９】
　すなわち、本発明は、
「１．少なくとも第１の難揮発性液体からなる基油と、該基油に
粒径５０μｍ以下に
　２．インキ管に直接筆記用インキを詰め、ボールペンチップを装着したボールペンにおいて、ボールペンチップを装着した側とは反対側に第１項に記載の筆記具用インキ追従体を配設したボールペン。」である。
　【００１０】
　本発明の筆記具用インキ追従体は、第１の難揮発性液体からなる基油に非相溶な第２の難揮発性液体がインキ追従体中で、エマルションを形成、分散し、安定なインキ追従体となり、筆記時にインキの消費に伴い、インキ収容管との界面においてエマルションの一部が破壊され油層を形成し、インキ収容管とインキ追従体との界面に滑り面を形成する。
　【００１１】
　また、第１の難揮発性液体すなわち基油および増稠剤によってやや強い弾性を得、インキ追従体のゲル強度を高くし、流動性を減少させ、逆流防止性を向上したインキ追従体においても、該基油に分散された第２の難揮発性液体がインキ収容管との界面において積極的に油層を形成しているため、筆記に伴うインキ追従体の移動の際にも、インキ追従体のインキ収容管への付着残りが少なく、良好なインキ追従性、さらには経時安定性が良好なインキ追従体が得られる。
　【００１２】
　さらに本発明の理論的説明を図によって説明する。図１は、従来の筆記具用インキ追従体を筆記前と筆記による追従後を比較したものである。図１に示したように、従来のインキ追従体ではインキ消費に伴うインキ収容管内壁面への付着（Ｃ）が見られ、好ましくないことがわかる。
　【００１３】
　図２は、上記と同様に、本発明の筆記具用インキ追従体を筆記前と筆記による追従後を比較したものである。このように、本発明のインキ追従体は、第１の難揮発性液体からなる基油と第２の難揮発性液体が分散状態をとっているため、インキ収容管内面とインキ追従体の界面において積極的に油層を形成しており、インキ消費に伴うインキ収容管内面への付着がなく、良好な追従性が得られるものである。
　【００１４】
　【図１】
　【００１５】
　【図２】
　【００１６】
　Ａ・・・従来の筆記具用インキ追従体
　Ｂ・・・筆記用インキ
　Ｃ・・・インキ消費に伴うインキ追従体のインキ収容管内面への付着残り
　Ｄ・・・基油に分散された第２の難揮発性液体
　【００１７】
　本発明に用いる第１の難揮発性液体である基油は、一般的にいわゆるグリースに使用される基油であり、鉱油系基油、合成基油等である。具体的な物としては、スピンドル油、ヒマシ油、オリーブ油流動パラフィン、ポリブテン、ジメチルシリコーンオイル、メチルフェニルシリコーンオイル、アミノ変性シリコーンオイル、ポリエーテル変性シリコーンオイル、脂肪酸変性シリコーンオイル、グリセリン等が挙げられる。
　【００１８】
　また、必要に応じて基油の粘度を調整する目的として粘度調整剤を添加する事が出来る。基油の粘度調整としては、ポリイソブチレン樹脂等を溶解して用いる事が出来る。
　【００１９】
　該基油に分散された第２の難揮発性液体は、使用する基油と非相溶であり、良好に分散するものであれば任意に選定する事が可能である。具体的には、流動パラフィンのような高沸点炭化水素を基油に用いた場合には、ジメチルシリコーンオイル、メチルフェニルシリコーンオイル、エポキシ変性シリコーンオイル、グリセリン等が挙げられる。また基油として、ジメチルシリコーンオイルなどのシリコーンオイルを用いた場合は、流動パラフィン、ポリブテン、グリセリン等が挙げられる。
　【００２０】
　本発明のインキ追従体に用いる増稠剤は、インキ追従体として良好なインキ逆流の防止効果のため用いられる。本発明においては、増稠剤として６０℃以下で融解しないものを使用するが、このような増稠剤は、それ自体、高温時における安定性が良いことより、６０℃などの高温環境下においても、２種の難揮発性液体の分散を補助し、その分散状態を維持するので、２種の難揮発性液体と６０℃以下で融解しない増稠剤を併用する必要がある。この３者の併用によりインキ追従体は、常温ではもちろん、比較的高温状態での使用、さらには経時後においても安定性を維持することが可能となる。その具体例としては、微粉シリカ、ベントナイトやモンモリロナイトなどの粘土系、ステアリン酸アルミニウムなどの金属石鹸系、水添ヒマシ油系、ヒドロキシセルロースなどのセルロース系、デキストリン脂肪酸エステルなどのデキストリン系、アミノ酸系などが挙げられる。６０℃以下で融解しない増稠剤の配合量は、インキ追従体全体に対し０．１〜２０．０重量％が好ましい。
　【００２１】
　反対に、６０℃以下で融解してしまうような増稠剤では、高温時において、必要以上にインキ追従体の流動性が増すため、インキ逆流防止の面で好ましくない。さらには、高温時にそれ自体、融解してしまうために、増稠効果が弱くなって２種の難揮発性液体の分散を補助することができなくなり、結果的にその分散状態を維持することが困難になるため、特に高温時のインキ追従性が劣り、好ましくない。
　【００２２】
　本発明のインキ追従体の製造方法は、通常、基油となる難揮発性液体に、必要に応じ粘度調整剤を加え、三本ロールミル、ニーダー、ボールミル、ビーズミル等の分散機で混練しゲル化する事により得られる。その際、分散の粒径は、インキ収容管内面とインキ追従体の界面における油層の形成、およびその効果の点で、５０μｍ以下にすることが好ましい。また、６０℃以下で融解しない増稠剤として金属石鹸などの加温溶解が必要なものを基油に溶解させてゲル化を行うような場合は、必要に応じて加温冷却工程を入れることが好ましい。
　【００２３】
　実施例
　次に、実施例を示して本発明を具体的に説明する。
　【００２４】
　配合例１
　（水性ボールペン用インキ）下記の組成で配合し、撹拌分散の後、ろ過して水性ボールペン用インキを得た。
　　　　黒色顔料水分散体（固形分２０％）　　　　　　　　　５０．０重量部
　　　　湿潤剤（グリセリン）　　　　　　　　　　　　　　　２０．０
　　　　増稠剤（アクリル系ポリマー）　　　　　　　　　　　　０．５
　　　　ｐＨ調整剤（トリエタノールアミン）　　　　　　　　　０．８
　　　　潤滑剤（ポリオキシエチレンアルキルエーテル）　　　　１．０
　　　　水　　　　　　　　　　　　　　　　　　　　　　　　２７．７
　【００２５】
　配合例２
　（油性ボールペン用インキ）下記の組成で配合し、撹拌溶解の後、ろ過して油性ボールペン用インキを得た。
　　　　黒色油溶性染料　　　　　　　　　　　　　　　　　　３５．０重量部
　　　　曵糸性付与剤（ポリビニルピロリドン）　　　　　　　　９．３
　　　　オレイン酸　　　　　　　　　　　　　　　　　　　　　２．０
　　　　ベンジルアルコール　　　　　　　　　　　　　　　　１０．７
　　　　フェニルセロソルブ　　　　　　　　　　　　　　　　４３．０
　【００２６】
実施例１
　液状ポリブテン　　　　　　　　　　　　　　　　　　　　　９４．０重量部
　メチルフェニルシリコーンオイル　　　　　　　　　　　　　　３．０
　ステアリン酸アルミニウム　　　　　　　　　　　　　　　　　８．０
　上記成分を混合し、１８０℃に加熱溶解後２０℃まで冷却し、三本ロールミルで液状ポリブテンとメチルフェニルシリコーンオイルが分散状態となり、その分散粒径が５０μｍ以下になるように混練し、筆記具用インキ追従体を得た。
　得られた筆記具用インキ追従体を光学顕微鏡４００倍により観察したところ、液状ポリブテン中にメチルフェニルシリコーンオイルは分散状態となっており、その分散粒径は５０μｍ以下であった。　その後、ステンレス製のボールペンチップ（超硬ボール径φ０．７ｍｍ）を先端に取り付けた内径４ｍｍのポリプロピレンチューブに配合例１、２のインキを約１．０ｇ充填し、その尾端にここで得られた筆記具用インキ追従体を０．１ｇ充填し、水性および油性のボールペンを得た。
　【００２７】
実施例２〜
９
　実施例１と同様に表１に記載の配合により、それぞれ筆記具用インキ追従体を得た。さらに実施例１と同様にして水性および油性のボールペンを得た。
　得られた筆記具用インキ追従体を光学顕微鏡４００倍により観察したところ、実施例２〜９は、それぞれ、２種の難揮発性液体が分散状態となっており、その分散粒径は５０μｍ以下であった。
　【００２８】
比較例１
　液状ポリブテン　　　　　　　　　　　　　　　　　　　　　９４．０重量部
　メチルフェニルシリコーンオイル　　　　　　　　　　　　　　３．０
　ステアリン酸アルミニウム　　　　　　　　　　　　　　　　　８．０
　上記成分を混合し、１８０℃に加熱溶解後２０℃まで冷却し、三本ロールミルで液状ポリブテン中にメチルフェニルシリコーンオイルが分散状態となり、その分散粒径が約１００μｍになるように混練し、筆記具用インキ追従体を得た。
　得られた筆記具用インキ追従体を光学顕微鏡４σ０倍により観察したところ、液状ポリブテン中にメチルフェニルシリコーンオイルは分散状態となっており、その分散粒径は約１００μｍであり５０μｍを越えていた。
　その後、ステンレス製のボールペンチップ（超硬ボール径φ０．７ｍｍ）を先端に取り付けた内径４ｍｍのポリプロピレンチューブに配合例１、２のインキを約１．０ｇ充填し、その尾端にここで得られた筆記具用インキ追従体を０．１ｇ充填し、水性および油性のボールペンを得た。
　【００２９】
比較例
２〜６
　実施例１と同様に表１に記載の配合により、それぞれ筆記具用インキ追従体を得た。さらに実施例１と同様に水性および油性のボールペンを得た。
　得られた筆記具用インキ追従体を光学顕微鏡４００倍により観察したところ、比較例
４、５
６
　【００３０】
　【表１】
　【００３１】
　上記、実施例、比較例で得られたインキ追従体組成物の試験結果を表２に示す。
　【００３２】
　【表２】
　【００３３】
　実施例、比較例における筆記具用インキ追従体は、次の方法で各５本づつ評価した。評価方法と評価基準は以下に示すとおりである。
　【００３４】
　（評価方法）
　（状態観察）筆記具用インキ追従体を光学顕微鏡４００倍により、２種の難揮発性液体が相溶しているか、非相溶で分散状態となっているのか、またその粒径を測定し、目視により判断した。
　（高温安定性）実施例、比較例のボールペンを６０℃の雰囲気下でＴｉｐを上向きにして６時間放置し、インキの逆流について目視により判断した。
　（インキ管内面付着）実施例、比較例のペン組立直後のボールペンを用いて、毎分４ｍの速度で約５００ｍ筆記し（筆記荷重１００ｇｆ）、ペン組立直後の筆記具用インキ追従体のインキ管内面付着状況を目視により評価した。
　（インキ追従性試験）実施例、比較例のペン組立直後のボールペンを毎分４ｍおよび１０ｍの速度で約５００ｍ筆記し（筆記荷重１００ｇｆ）その時の筆跡を目視により評価した。
　【００３５】
　（評価基準）
　（状態観察）　　　　非相溶（分散）状態で、分散粒径
　　　　　　　　　　　　　　　が、５０μｍ以下のもの・・・○
　　　　　　　　　　　非相溶（分散）状態で、分散粒径
　　　　　　　　　　　　　　が、５０μｍを越えるもの・・・△
　　　　　　　　　　　相溶状態のもの　　　　　　　　・・・×
　（高温安定性）　　　インキ逆流なし　　　　　　　　・・・○
　　　　　　　　　　　インキ逆流あり　　　　　　　　・・・×
　（インキ管内面付着）付着なし　　　　　　　　　　　・・・○
　　　　　　　　　　　付着少しあり　　　　　　　　　・・・△
　　　　　　　　　　　付着あり　　　　　　　　　　　・・・×
　（インキ追従性試験）かすれなし　　　　　　　　　　・・・○
　　　　　　　　　　　かすれあり　　　　　　　　　　・・・×
　【００３６】
　以上により、実施例１〜
９
　【００３７】
　比較例は
２、３
４、５
６
　【００３８】
　これらの事から本発明の筆記具用インキ追従体は、筆記具としての必要な条件であるインキ追従性、インキ管内面への付着防止、及び高温時におけるインキ逆流防止を満足した優れたものであることがわかる。
　【００３９】
　【発明の効果】
　本発明の筆記具用インキ追従体は、少なくとも第１の難揮発性液体からなる基油と、該基油に
粒径５０μｍ以下
【図面の簡単な説明】
　【図１】ボールペンのインキ収容管に充填された従来の筆記具用インキ追従体の筆記による追従の様子を表した模式図
　【図２】ボールペンのインキ収容管に充填された本発明の筆記具用インキ追従体の筆記による追従の様子を表した模式図
　【表１】
　【表２】